(57)【特許請求の範囲】
【請求項１】
カメラブロックより入力されるカメラ信号に対して輝度処理及び色処理を施すと共に、当該輝度処理及び色処理によって得られる輝度データ及び色データをエンコードして輝度信号及びクロマ信号を出力するカメラ信号処理回路と、
上記カメラ信号処理回路と双方向バス手段を介して上記輝度データ及び上記色データを授受するビデオコミュニケーションプロセッサとを具えるカメラ装置において、
上記ビデオコミュニケーションプロセッサは、上記双方向バス手段を介して入力される上記輝度データ及び色データを映像信号に変換し高能率符号化して外部に送出すると共に、高能率符号化された映像信号をデコードし輝度データ及び色データに変換して上記双方向バス手段を介して上記カメラ信号処理回路へ送出する
ことを特徴とするカメラ装置。
【請求項２】
上記カメラブロックより入力されるカメラ信号はデジタル信号である
ことを特徴とする請求項１に記載のカメラ装置。
【請求項３】
カメラブロックより入力されるカメラ信号に対して輝度処理及び色処理を施すと共に、当該輝度処理及び色処理によって得られる輝度データ及び色データをエンコードして輝度信号及びクロマ信号として出力するカメラ信号処理回路と、
上記輝度データ及び色データを外部に送出する出力用一方向バス手段と、
ビデオコミュニケーションプロセッサより送出される輝度データ及び色データを入力するための入力用一方向バス手段と、
上記輝度処理及び色処理によって得られる輝度データ及び色データ又は上記ビデオコミュニケーションプロセッサより送出される上記輝度データ及び色データの入力を切り替える切替え手段とを具えるカメラ装置において、
上記出力用一方向バス手段を上記ビデオコミュニケーションプロセッサの第１の入出力インタフェースに接続すると共に上記入力用一方向バス手段を上記ビデオコミュニケーションプロセッサの第２の入出力インタフェースに接続し、上記輝度処理及び色処理によって得られる上記輝度データ及び色データを上記ビデオコミュニケーションプロセッサに送出する際には上記出力用一方向バス手段を介して上記ビデオコミュニケーションプロセッサに送出し、
上記入力用一方向バス手段を介して上記ビデオコミュニケーションプロセッサより送出される上記輝度データ及び色データを上記エンコードする際には上記切替え手段を上記ビデオコミュニケーションプロセッサ側に切り替えて、上記エンコードして輝度信号及びクロマ信号として出力する
ことを特徴とするカメラ装置。
【請求項４】
カメラブロックより入力されるカメラ信号に対して輝度処理及び色処理を施すと共に、当該輝度処理及び色処理によって得られる輝度データ及び色データをエンコードして輝度信号及びクロマ信号として出力するカメラ信号処理回路と、
上記輝度データ及び色データを上記カメラ信号処理回路に送出する出力用一方向バス手段と、
輝度データ及び色データを上記カメラ信号処理回路に入力するための入力用一方向バス手段と、
上記カメラ信号処理回路と上記出力用一方向バス手段及び上記入力用一方向バス手段を介して上記輝度データ及び色データを授受するビデオコミュニケーションプロセッサと、
上記輝度処理及び色処理によって得られる輝度データ及び色データ又は上記ビデオコミュニケーションプロセッサより送出される上記輝度データ及び色データの入力を切り替える切替え手段とを具えるカメラ装置において、
上記出力用一方向バス手段を上記ビデオコミュニケーションプロセッサの第１の入出力インタフェースに接続すると共に上記入力用一方向バス手段を上記ビデオコミュニケーションプロセッサの第２の入出力インタフェースに接続し、上記輝度処理及び色処理によって得られる上記輝度データ及び色データを上記ビデオコミュニケーションプロセッサに送出する際には上記出力用一方向バス手段を介して上記ビデオコミュニケーションプロセッサに送出し、上記入力用一方向バス手段を介して上記ビデオコミュニケーションプロセッサより送出される上記輝度データ及び色データを上記エンコードする際には上記切替え手段を上記ビデオコミュニケーションプロセッサ側に切り替えて、上記エンコードして輝度信号及びクロマ信号として出力し、
上記ビデオコミュニケーションプロセッサは、上記第１の入出力インタフェースより入力される上記輝度データ及び色データを映像信号に変換し高能率符号化して外部に送出すると共に、外部より入力される高能率符号化された映像信号をデコードし輝度データ及び色データに変換して上記第２の入出力インタフェースを介して送出する
ことを特徴とするカメラ装置。
【請求項５】
上記カメラブロックより入力されるカメラ信号はデジタル信号である
ことを特徴とする請求項３に記載のカメラ装置。
【発明の詳細な説明】
【０００１】
【目次】
以下の順序で本発明を説明する。
産業上の利用分野
従来の技術（図３）
発明が解決しようとする課題（図３）
課題を解決するための手段（図１及び図２）
作用（図１及び図２）
実施例
（１）第１実施例（図１）
（２）第２実施例（図２）
発明の効果
【０００２】
【産業上の利用分野】
本発明はデイジタルカメラ信号処理回路に関し、例えば電子会議システムにおいて、ビデオ・コーデツク・アンド・マルチメデイア・コミユニケーシヨンズ・プロセツサ（Ｖｉｄｅｏ  Ｃｏｄｅｃ  ａｎｄ  Ｍｕｌｔｉｍｅｄｉａ  Ｃｏｍｍｕｎｉｃａｔｉｏｎｓ  Ｐｒｏｃｅｓｓｏｒ  、以下ＶＣＰと呼ぶ）に入力された映像信号をＣＣＤ（ｃｈａｒｇｅ  ｃｏｕｐｌｅｄ  ｄｅｖｉｃｅ  ）カメラのデイジタルカメラ信号処理回路で処理してモニタ上に表示する場合に適用し得る。
【０００３】
【従来の技術】
従来、電子会議システム等においては、例えばＣＣＤカメラより得たデイジタルカメラ信号を、当該ＣＣＤカメラに取り付けられたＶＣＰに送出し、ＶＣＰで高能率符号化して映像信号として例えばＩＳＤＮ（統合サービスデイジタル網））に伝送するビデオカメラシステムを使用している。
【０００４】
このＶＣＰは単一の集積回路（ＩＣ）で構成されており、画像圧縮／伸張／通信等の機能を有する。すわなち一般的にＶＣＰは、入力されるデイジタル信号を高能率符号化するエンコーダと、外部より入力される高能率符号化されたデイジタル信号を復号化するデコーダとによつて構成されている。
【０００５】
ビデオカメラシステム１の概略構成を図３に示す。ビデオカメラシステム１は、ＣＣＤカメラ２と、当該ＣＣＤカメラ２の外部に接続されたＶＣＰ３とによつて構成されている。ＣＣＤカメラ２では、ＣＣＤ４で得られるカメラ信号をＡＧＣ（ａｕｔｏｍａｔｉｃ  ｇａｉｎ  ｃｏｎｔｒｏｌ）及びサンプルホールド回路（Ｓ／Ｈ）５でサンプリングして利得を制御した後、アナログデイジタルコンバータ（ＡＤＣ）６でデイジタル信号に変換する。デイジタル信号に変換されたカメラ信号は単一のＩＣで構成されている映像信号処理部７に出力される。
【０００６】
映像信号処理部７では、輝度データ生成回路８においてカメラ信号より輝度データＹを生成すると共に、色データ生成回路９においてカメラ信号より色データＵ／Ｖを生成し、輝度データＹ及び色データＵ／Ｖをビデオエンコーダ１０に出力する。輝度データはビデオエンコーダ１０の同期加算回路１１で同期信号が付加された後、デイジタルアナログ変換回路（ＤＡＣ）１２でアナログ信号に変換されて輝度信号として出力される。色データはビデオエンコーダ１０のエンコーダ（ＥＮＣ）１３でエンコードされた後変調され、ＤＡＣ１４でアナログ信号に変換されてクロマ信号として出力される。
【０００７】
また映像信号処理部７で得られた輝度データＹ及び色データＵ／ＶはＣＣＩＲ（Ｉｎｔｅｒｎａｔｉｏｎａｌ  Ｒａｄｉｏ  Ｃｏｎｓｕｌｔａｔｉｖｅ  Ｃｏｍｍｉｔｔｅｅ）６０１バス１５を介してＶＣＰ３で高能率符号化されて外部に伝送される。すなわち映像信号処理部７より送出される輝度データＹ及び色データＵ／Ｖは、バス１５を介してＣＣＩＲ６０１フオーマツトでＶＣＰ３に送出される。このＣＣＩＲ６０１バス１５は、輝度データ及び色データを、輝度データ８ビツト、色データ８ビツトで１３．５〔ＭＨｚ  〕の周波数のフオーマツトに変換して伝送する一方向バスである。
【０００８】
ＶＣＰ３に入力された輝度データＹ及びクロマ信号Ｕ／ＶはＩ／Ｏインタフエース１６を介してエンコーダ１７に入力される。エンコーダ１７では、入力された輝度データＹ及びクロマ信号Ｕ／Ｖを映像信号に変換し、例えばＭＰＥＧ（Ｍｏｖｉｎｇ  Ｐｉｃｔｕｒｅ  Ｅｘｐｅｒｔｓ  Ｇｒｏｕｐ）方式で高能率符号化する。高能率符号化されたデイジタル映像信号はＩ／Ｏインタフエース１８を通り、通信インタフエース（通信Ｉ／Ｏ）１９を介して例えばＩＳＤＮに伝送される。
【０００９】
【発明が解決しようとする課題】
ところでＶＣＰ３では、通信Ｉ／Ｏ１９を介して外部より入力される高能率符号化されたデイジタル映像信号を受けて、例えばモニタ上に表示することができる。すなわち通信Ｉ／Ｏ１９を介してＶＣＰ３に入力される高能率符号化されたデイジタル映像信号は、Ｉ／Ｏインタフエース１８を介してデコーダ２０に入力される。高能率符号化されたデイジタル映像信号はデコーダ２０でデコードされて輝度データＹ及び色データＵ／Ｖに変換された後、Ｉ／Ｏインタフエース２１を介して上述のＣＣＩＲ６０１フオーマツトで、単一のＩＣでなるビデオエンコーダ２２に入力される。
【００１０】
ビデオエンコーダ２２では、輝度データ処理回路２３で輝度データＹに同期信号を加算した後、ＤＡＣ２４でアナログ信号に変換して輝度信号として出力する。また色データＵ／Ｖは色データ処理回路２５でエンコードされて変調された後、ＤＡＣ２６でアナログ信号に変換されてクロマ信号として出力される。これらの輝度信号及び色信号は、エンコードされて映像信号として例えばモニタ（図示せず）に表示される。
【００１１】
ところが上述のように、ビデオカメラシステム１では、バス１５が一方向バスであるため、映像信号処理部７より送出される輝度データＹ及び色データＵ／ＶはＶＣＰ３を介して外部に送出することができるが、ＶＣＰ３に入力されるデイジタル映像信号を映像信号処理部７に送出することができない。このため、ＶＣＰ３側で受信した映像を見る場合にはＶＣＰ３用のビデオエンコーダ２２が必要となる。従つてビデオカメラシステム１上には、ＣＣＤカメラ２用のビデオエンコーダ１０と、ＶＣＰ３用のビデオエンコーダ２２が存在することになり、ビデオカメラシステム１が大型化し、使い勝手がよくない問題があつた。
【００１２】
本発明は以上の点を考慮してなされたもので、ＶＣＰより送出されるデイジタル映像信号を処理し得るデイジタルカメラ信号処理回路を提案しようとするものである。
【００１３】
【課題を解決するための手段】
かかる課題を解決するため本発明においては、カメラブロック（（４）、（５）、（６））より入力されるカメラ信号に対して輝度処理及び色処理を施すと共に、当該輝度処理及び色処理によって得られる輝度データ及び色データをエンコードして輝度信号及びクロマ信号を出力するカメラ信号処理回路（７）と、カメラ信号処理回路（７）と双方向バス手段（３１）を介して輝度データ及び色データを授受するビデオコミュニケーションプロセッサ（３）とを具えるカメラ装置（３０）において、ビデオコミュニケーションプロセッサ（３）は、双方向バス手段（３１）を介して入力される輝度データ及び色データを映像信号に変換し高能率符号化して外部に送出すると共に、高能率符号化された映像信号をデコードし輝度データ及び色データに変換して双方向バス手段（３１）を介してカメラ信号処理回路（７）へ送出するようにする。
【００１４】
また本発明においては、カメラブロック（（４）、（５）、（６））より入力されるカメラ信号に対して輝度処理及び色処理を施すと共に、当該輝度処理及び色処理によって得られる輝度データ及び色データをエンコードして輝度信号及びクロマ信号として出力するカメラ信号処理回路（７）と、輝度データ及び色データを外部に送出する出力用一方向バス手段（４１）と、ビデオコミュニケーションプロセッサ（３）より送出される輝度データ及び色データを入力するための入力用一方向バス手段（４２）と、輝度処理及び色処理によって得られる輝度データ及び色データ又はビデオコミュニケーションプロセッサ（３）より送出される輝度データ及び色データの入力を切り替える切替え手段（（４３）、（４４））とを具えるカメラ装置（４０）において、出力用一方向バス手段（４１）をビデオコミュニケーションプロセッサ（３）の第１の入出力インタフェース（１６）に接続すると共に入力用一方向バス手段（４２）をビデオコミュニケーションプロセッサ（３）の第２の入出力インタフェース（２１）に接続し、輝度処理及び色処理によって得られる輝度データ及び色データをビデオコミュニケーションプロセッサ（３）に送出する際には出力用一方向バス手段（４１）を介してビデオコミュニケーションプロセッサ（３）に送出し、入力用一方向バス手段（４２）を介してビデオコミュニケーションプロセッサ（３）より送出される輝度データ及び色データをエンコードする際には切替え手段（（４３）、（４４））をビデオコミュニケーションプロセッサ（３）側に切り替えて、エンコードして輝度信号及びクロマ信号として出力するようにする。
【００１５】
また本発明においては、カメラブロック（（４）、（５）、（６））より入力されるカメラ信号に対して輝度処理及び色処理を施すと共に、当該輝度処理及び色処理によって得られる輝度データ及び色データをエンコードして輝度信号及びクロマ信号として出力するカメラ信号処理回路（７）と、輝度データ及び色データをカメラ信号処理回路（７）に送出する出力用一方向バス手段（４１）と、輝度データ及び色データをカメラ信号処理回路（７）に入力するための入力用一方向バス手段（４２）と、カメラ信号処理回路（７）と出力用一方向バス手段（４１）及び入力用一方向バス手段（４２）を介して輝度データ及び色データを授受するビデオコミュニケーションプロセッサ（３）と、輝度処理及び色処理によって得られる輝度データ及び色データ又はビデオコミュニケーションプロセッサ（３）より送出される輝度データ及び色データの入力を切り替える切替え手段（（４３）、（４４））とを具えるカメラ装置（４０）において、出力用一方向バス手段（４１）をビデオコミュニケーションプロセッサ（３）の第１の入出力インタフェース（１６）に接続すると共に入力用一方向バス手段（４２）をビデオコミュニケーションプロセッサ（３）の第２の入出力インタフェース（２１）に接続し、輝度処理及び色処理によって得られる輝度データ及び色データをビデオコミュニケーションプロセッサ（３）に送出する際には出力用一方向バス手段（４１）を介してビデオコミュニケーションプロセッサ（３）に送出し、入力用一方向バス手段（４２）を介してビデオコミュニケーションプロセッサ（３）より送出される輝度データ及び色データをエンコードする際には切替え手段（（４３）、（４４））をビデオコミュニケーションプロセッサ（３）側に切り替えて、エンコードして輝度信号及びクロマ信号として出力し、ビデオコミュニケーションプロセッサ（３）は、第１の入出力インタフェース（１６）より入力される輝度データ及び色データを映像信号に変換し高能率符号化して外部に送出すると共に、外部より入力される高能率符号化された映像信号をデコードし輝度データ及び色データに変換して第２の入出力インタフェース（２１）を介して送出するようにする。
【００１７】
【作用】
カメラ信号に対して輝度処理及び色処理を施すと共に、当該輝度処理及び色処理によって得られる輝度データ及び色データをエンコードして輝度信号及びクロマ信号を出力するカメラ信号処理回路（７）と、輝度データ及び色データを授受するビデオコミュニケーションプロセッサ（３）とを双方向バス手段（３１）を介して接続し、ビデオコミュニケーションプロセッサ（３）は双方向バス手段（３１）を介して入力される輝度データ及び色データを映像信号に変換し高能率符号化して外部に送出すると共に、高能率符号化された映像信号をデコードし輝度データ及び色データに変換して双方向バス手段（３１）を介してカメラ信号処理回路（７）へ送出することにより、当該ビデオコミュニケーションプロセッサ（３）に対して映像信号の高能率符号化手段及び高能率復号化手段としての機能を併せ持たせることができるので、カメラ装置（３０）としての有用性を一段と向上させることができる。
【００１８】
カメラ信号処理回路（７）とビデオコミュニケーションプロセッサ（３）とを出力用一方向バス手段（４１）及び入力用一方向バス手段（４２）を介して接続し、カメラ信号処理回路（７）で生成された輝度データ及び色データをビデオコミュニケーションプロセッサ（３）に送出する際には出力用一方向バス手段（４１）を介してビデオコミュニケーションプロセッサ（３）に送出し、入力用一方向バス手段（４２）を介してビデオコミュニケーションプロセッサ（３）より送出される輝度データ及び色データをエンコードする際には切替え手段（（４３）、（４４））をビデオコミュニケーションプロセッサ（３）側に切り替えて、エンコードして輝度信号及びクロマ信号として出力するようにしたことにより、ビデオコミュニケーションプロセッサ（３）より送出される輝度データ及び色データをエンコードして輝度信号及び色信号として出力し得ると共に、切替え手段（（４３）、（４４））をビデオコミュニケーションプロセッサ（３）側に切り替えれば、カメラ信号処理回路（７）で生成された輝度データ及び色データをビデオコミュニケーションプロセッサ（３）に送出しながら、ビデオコミュニケーションプロセッサ（３）より入力される輝度データ及び色データをカメラ信号処理回路（７）で処理し、輝度信号及びクロマ信号として出力することができるので、カメラ装置としての有用性を一段と向上させることができる。
【００１９】
高能率符号化された映像信号をデコードした結果の輝度データ及び色データをビデオコミュニケーションプロセッサ（３）から入力し、エンコードした後に輝度信号及び色信号として出力し得ると共に、切替え手段（（４３）、（４４））をビデオコミュニケーションプロセッサ（３）側に切り替えれば、カメラ信号処理回路（７）で生成された輝度データ及び色データを出力用一方向バス手段（４１）及び第１の入出力インタフェース（１６）を介してビデオコミュニケーションプロセッサ（３）に送出し、当該ビデオコミュニケーションプロセッサ（３）により当該輝度データ及び色データを映像信号に変換し高能率符号化して外部に送出しながら、外部から入力される高能率符号化された映像信号をデコードした結果の輝度データ及び色データをビデオコミュニケーションプロセッサ（３）から第２の入出力インタフェース（２１）及び入力用一方向バス手段（４２）を介して入力してカメラ信号処理回路（７）で処理し、輝度信号及びクロマ信号として出力することができるので、カメラ装置としての有用性を一段と向上させることができる。
【００２１】
【実施例】
以下図面について本発明の一実施例を詳述する。
【００２２】
（１）第１実施例
図３との対応部分に同一符号を付して示す図１において、３０は全体として本発明の第１実施例によるビデオカメラシステムを示している。このビデオカメラシステム３０では、ＣＣＤカメラ２の映像信号処理部７とＶＣＰ３とをＣＣＩＲ６０１双方向バス３１で接続し、ＶＣＰ３で受信したデイジタル映像信号を映像信号処理部７のビデオエンコーダ３２で処理する。
【００２３】
通信Ｉ／Ｆ１９を介して外部より入力される高能率符号化されたデイジタル映像信号は、Ｉ／Ｏインタフエース１８を介してデコーダ２０に入力される。デコーダ２０では、入力されたデイジタル映像信号をデコードして輝度データＹ及び色データＵ／Ｖに変換する。輝度データＹ及び色データＵ／ＶはＣＣＩＲ６０１双方向バス３１を介して映像信号処理部７に入力される。
【００２４】
輝度データＹは同期加算回路１１で同期信号が加算された後、ＤＡＣ１２でアナログ信号に変換されて輝度信号として出力される。また色データＵ／Ｖは、サイン波形が格納されているＲＯＭ（ｒｅａｄ  ｏｎｌｙ  ｍｅｍｏｒｙ）及び乗算器を用いたデイジタルエンコーダ３３に入力される。エンコーダ３３では、クロマ信号処理としてサンプリングレート１３．５〔ＭＨｚ  〕のベースバンドクロマ信号をテレビフオーマツトのサブキヤリアで変調された信号に変換する。エンコーダ３３からの出力信号はＤＡＣ１４でアナログ信号に変換されてクロマ信号として出力される。
【００２５】
次に映像信号処理部７より送出される輝度データＹ及び色データＵ／ＶをＶＣＰ３を介して外部に伝送する場合について説明する。ＡＧＣ及びＳ／Ｈ５及びＡＤＣ６を介して映像信号処理部７に入力されたデイジタルカメラ信号より輝度データ生成回路８及び色データ生成回路９で輝度データＹ及び色データＵ／Ｖを生成する。輝度データＹ及び色データＵ／ＶはＣＣＩＲ６０１双方向バス３１を介してＶＣＰ３に入力される。
【００２６】
ＶＣＰ３に入力された輝度データＹ及び色データＵ／Ｖは、Ｉ／Ｏインタフエース１６を介してエンコーダ１７に供給される。エンコーダ１７では、入力された輝度データＹ及び色データＵ／Ｖを映像信号に変換して、例えばＭＰＥＧ方式で高能率符号化する。高能率符号化された映像信号は、Ｉ／Ｏインタフエース１８より通信Ｉ／Ｆ１９を介してＩＳＤＮに伝送される。
【００２７】
ここでＣＣＤカメラ２側の映像とＶＣＰ３側の映像を同一フイールド周期内で切り替える切替え手段をビデオエンコーダ３２に付加することにより、ＣＣＤカメラ２で撮像した映像と、ＶＣＰ３で受信した映像とをモニタ上に分割して表示することができる。
【００２８】
以上の構成において、外部より受信した映像はＶＣＰ３でデコードして輝度データＹ及び色データＵ／Ｖに変換した後、双方向バス３１を介してビデオエンコーダ３２に送出する。ビデオエンコーダ３２では、輝度データＹに同期信号を加算し、サンプリングレート１３．５〔ＭＨｚ  〕のベースバンドクロマ信号をテレビフオーマツトのサブキヤリアで変調された信号に変換した後、それぞれアナログ信号に変換して輝度信号及びクロマ信号として出力する。
【００２９】
以上の構成によれば、映像信号処理部７とＶＣＰ３とをＣＣＩＲ６０１双方向バス３１で接続し、ＶＣＰ３に入力される高能率符号化されたデイジタル映像信号をＶＣＰ３で復号化してＣＣＩＲ６０１双方向バス３１を介してビデオエンコーダ３２に送出したことにより、ＶＣＰ３より入力されるデイジタル映像信号をビデオエンコーダ３２でエンコードすることができるので、ＣＣＤカメラ２の有用性を格段的に向上させることができる。
【００３０】
（２）第２実施例
図１との対応部分に同一符号を付して示す図２において、４０は全体として本発明の第２実施例によるビデオカメラシステムを示している。ビデオカメラシステム４０では、映像信号処理部７とＶＣＰ３とがＣＣＩＲ６０１バス４１及びＣＣＩＲ６０１バス４２で接続されており、映像信号処理部７で生成された輝度データＹ及び色データＵ／Ｖはバス４１を介してＶＣＰ３に送出され、ＶＣＰ３に入力されたデイジタル映像信号の輝度データＹ及び色データＵ／Ｖはバス４２を介してビデオエンコーダ３３に送出される。
【００３１】
輝度データ生成回路８及び同期加算回路１１間にはスイツチ４３が設けられており、色データ生成回路９及びデイジタルエンコーダ３３間にはスイツチ４４が設けられている。スイツチ４３が端子Ａ、スイツチ４４が端子Ｃに接続されている場合、輝度データ生成回路８で生成された輝度データＹは同期加算回路１１に供給され、色データ処理回路９で生成された色データＵ／Ｖはエンコーダ３３に供給される。ビデオエンコーダ３２に入力された輝度データＹ及び色データＵ／Ｖは、それぞれ所定の処理が実行された後アナログ信号に変換されて輝度信号及びクロマ信号として出力される。
【００３２】
また輝度データ生成回路８で生成された輝度データＹ及び色データ処理回路９で生成された色データＵ／Ｖはバス４１を介してＶＣＰ３に供給される。ＶＣＰ３に入力された輝度データＹ及び色データＵ／ＶはＩ／Ｏインタフエース１６を介してエンコーダ１７に入力され、エンコーダ１７で映像信号に変換されて高能率符号化された後、通信Ｉ／Ｏ１９を介してＩＳＤＮに伝送される。
【００３３】
次にスイツチ４３が端子Ｂ、スイツチ４４が端子Ｄに接続されている場合、輝度データ生成回路８で生成された輝度データＹ及び色データ処理回路９で生成された色データＵ／Ｖはバス４１を介してＶＣＰ３に供給される。ＶＣＰ３ではエンコーダ１７でこれらのデータを映像信号に変換して高能率符号化する。高能率符号化された映像信号は通信Ｉ／Ｆ１９を介してＩＳＤＮに伝送される。
【００３４】
他方、通信Ｉ／Ｏ１９を介してＶＣＰ３に入力される高能率符号化された映像信号はＶＣＰ３において、デコーダ２０でデコードされて輝度データＹ及び色データＵ／Ｖに変換された後、バス４２を介して映像信号処理部７のビデオエンコーダ３２に供給される。ビデオエンコーダ３２では、輝度データＹ及び色データＵ／Ｖに所定の処理を実行した後アナログ信号に変換して輝度信号及びクロマ信号として出力する。ここで常にスイツチ４３を端子Ｂ、スイツチ４４を端子Ｄに接続していれば、映像信号処理部７より送出される輝度データＹ及び色データＵ／Ｖと、ＶＣＰ３に入力される高能率符号化された映像信号とをＶＣＰ３で一緒に処理することができる。
【００３５】
また第１実施例のビデオカメラシステム３０の場合には、映像信号処理部７及びＶＣＰ３間のバス３１がＶＣＰ３からの出力用に使用されている間は映像信号処理部７からの出力をＶＣＰ３に送出することができないため、上述の切替え手段によつて１つのモニタ上にＣＣＤカメラ２の出力とＶＣＰ３からの出力を分割して表示する場合、ＣＣＤカメラ２側からＶＣＰ３に送出する映像の一部が欠けてしまう場合がある。しかしながら第２実施例のビデオカメラシステム４０では、映像信号処理部７及びＶＣＰ３間でのデータの送受信に独立したバス４１、４２を設けているので、ＶＣＰ３に送出する映像を欠くことなくＣＣＤカメラ２の映像及びＶＣＰ３より入力される映像を分割表示してモニタすることかできる。
【００３６】
以上の構成において、外部よりＶＣＰ３に入力される高能率符号化された映像信号はＶＣＰ３でデコードされて輝度データＹ及び色データＵ／Ｖに変換された後、ＣＣＩＲ６０１バス４２を介して映像信号処理部７のビデオエンコーダ３２に送出されて処理される。また映像信号処理部７より送出される輝度データＹ及び色データＵ／ＶはＣＣＩＲ６０１バス４１を介してＶＣＰ３に送出され、ＶＣＰ３で映像信号に変換されて高能率符号化された後通信Ｉ／Ｏ１９を介して外部に伝送される。
【００３７】
以上の構成によれば、映像信号処理部７より送出される輝度データＹ及び色データＵ／ＶをＶＣＰ３に供給するためのＣＣＩＲ６０１バス４１と、外部よりＶＣＰ３に入力されて復号化されたデイジタル映像信号をビデオエンコーダ３２に供給するためのＣＣＩＲ６０１バス４２とによつて映像処理部７とＶＣＰ３とを接続したことにより、ＶＣＰ３より入力されるデイジタル映像信号を映像信号処理部７のビデオエンコーダ３２で処理することができるので、ＣＣＤカメラ２の有用性を格段的に向上させることができる。
【００３８】
また上述の構成によれば、常にスイツチ４３を端子Ｂ、スイツチ４４を端子Ｄに接続したことにより、映像信号処理部７より供給される輝度データＹ及び色データＵ／Ｖと、外部よりＶＣＰ３に入力されるデイジタル映像信号とをＶＣＰ３で一緒に処理するすることができるので、映像信号処理部７より供給される輝度データ及び色データをＶＣＰ３に送出しながら、ＶＣＰ３より送出される映像信号をモニタすることができる。
【００３９】
なお上述の実施例においては、単一のＩＣで構成されるＶＣＰ３をＣＣＤカメラ２に取り付けた場合について述べたが、本発明はこれに限らず、映像信号処理部７とＶＣＰ３とを同一チツプ上に製造してもよい。
【００４０】
また上述の実施例においては、ＶＣＰ３を通信Ｉ／Ｆ１９を介してＩＳＤＮに接続した場合について述べたが、本発明はこれに限らず、ＶＣＰ３をＣＤ−ＲＯＭ等に接続してもよい。
【００４１】
【発明の効果】
上述のように本発明によれば、カメラ信号に対して輝度処理及び色処理を施すと共に、当該輝度処理及び色処理によって得られる輝度データ及び色データをエンコードして輝度信号及びクロマ信号を出力するカメラ信号処理回路と、輝度データ及び色データを授受するビデオコミュニケーションプロセッサとを双方向バス手段を介して接続し、ビデオコミュニケーションプロセッサは双方向バス手段を介して入力される輝度データ及び色データを映像信号に変換し高能率符号化して外部に送出すると共に、高能率符号化された映像信号をデコードし輝度データ及び色データに変換して双方向バス手段を介してカメラ信号処理回路へ送出することにより、当該ビデオコミュニケーションプロセッサに対して映像信号の高能率符号化手段及び高能率復号化手段としての機能を併せ持たせることができるので、カメラ装置としての有用性を一段と向上させることができる。
【００４２】
また本発明によれば、ビデオコミュニケーションプロセッサより送出される輝度データ及び色データをエンコードして輝度信号及び色信号として出力し得ると共に、切替え手段をビデオコミュニケーションプロセッサ側に切り替えれば、カメラ信号処理回路で生成された輝度データ及び色データをビデオコミュニケーションプロセッサに送出しながら、ビデオコミュニケーションプロセッサより入力される輝度データ及び色データをカメラ信号処理回路で処理し、輝度信号及びクロマ信号として出力することができるので、カメラ装置としての有用性を一段と向上させることができる。
さらに本発明によれば、高能率符号化された映像信号をデコードした結果の輝度データ及び色データをビデオコミュニケーションプロセッサから入力し、エンコードした後に輝度信号及び色信号として出力し得ると共に、切替え手段をビデオコミュニケーションプロセッサ側に切り替えれば、カメラ信号処理回路で生成された輝度データ及び色データを出力用一方向バス手段及び第１の入出力インタフェースを介してビデオコミュニケーションプロセッサに送出し、当該ビデオコミュニケーションプロセッサにより当該輝度データ及び色データを映像信号に変換し高能率符号化して外部に送出しながら、外部から入力される高能率符号化された映像信号をデコードした結果の輝度データ及び色データをビデオコミュニケーションプロセッサから第２の入出力インタフェース及び入力用一方向バス手段を介して入力してカメラ信号処理回路で処理し、輝度信号及びクロマ信号として出力することができるので、カメラ装置としての有用性を一段と向上させることができる。
【図面の簡単な説明】
【図１】本発明の第１実施例によるビデオカメラシステムの構成を示すブロツク図である。
【図２】本発明の第２実施例によるビデオカメラシステムの構成を示すブロツク図である。
【図３】従来のビデオカメラシステムの構成を示すブロツク図である。
【符号の説明】
１、３０、４０……ビデオカメラシステム、２……ＣＣＤカメラ、３……ビデオ・コーデツク・アンド・コミユニケーシヨン・プロセツサ（ＶＣＰ）、４……ＣＣＤ、５……自動制御利得及びサンプリングホールド（ＡＧＣ及びＳ／Ｈ）、６……アナログデイジタル変換回路（ＡＤＣ）、７……映像信号処理部、８……輝度データ生成回路、９……色データ生成回路、１０、２２、３２……ビデオエンコーダ、１１……同期加算回路、１２、１４、２４、２６……デイジタルアナログ変換回路（ＤＡＣ）、１３、３３……デイジタルエンコーダ（ＥＮＣ）、１５、４１、４２……ＣＣＩＲ６０１バス、１６、１８、２１……入出力インタフエース（Ｉ／Ｏインタフエース）、１７……エンコーダ、１９……通信インタフエース（通信Ｉ／Ｏ）、２０……デコーダ、２３……輝度データ処理回路、２５……色データ処理回路、３１……ＣＣＩＲ６０１双方向バス、４３、４４……スイツチ。
【図１】
0003568055.tif 000002
【図２】
0003568055.tif 000003
【図３】
0003568055.tif 000004